(57)【特許請求の範囲】
【請求項１】
ローカルエリアにおいて衛星系のデジタルサービス信号を変調変換方式によりケーブル伝送用のデジタルサービス信号に変換してケーブルネットワークに再送出するに当たり、
衛星系での番組情報作成時に、ローカルエリアにおいてローカルネットワーク情報を他ネットワーク情報として挿入するための容量を確保したスタッフィングテーブルを送出し、
ローカルエリアにおける番組構成によるローカルネットワーク情報を衛星系のトランスポートストリーム中に他ネットワーク情報として挿入してケーブルネットワークに送出する
ことを特徴とするネットワーク情報の送出方法。
【請求項２】
ローカルエリアにおいて衛星系のデジタルサービス信号を変調変換方式によりケーブル伝送用のデジタル多チャンネルサービス信号に変換してケーブルネットワークに再送出するに当たり、
衛星系のトランスポートストリーム中の一部の番組を削除し、削除した番組のネットワーク情報に換えて、ローカルエリアにおける番組構成によるローカルネットワーク情報を衛星系のトランスポートストリーム中に他ネットワーク情報として挿入して送出する
ことを特徴とするネットワーク情報の送出方法。
【請求項３】
ローカルエリアにおいて複数の衛星系のデジタルサービス信号を変調変換方式によりケーブル伝送用のデジタル多チャンネルサービス信号に変換してケーブルネットワークに再送出するに当たり、
再送出しない一部の衛星系のネットワーク情報に換えて、ローカルエリアにおける番組構成によるローカルネットワーク情報を衛星系のトランスポートストリーム中に他ネットワーク情報として挿入して送出する
ことを特徴とするネットワーク情報の送出方法。
【請求項４】
ローカルエリアにおいて複数の衛星系のデジタルサービス信号を変調変換方式によりケーブル伝送用のデジタル多チャンネルサービス信号に変換してケーブルネットワークに再送出するに当たり、
ローカルエリアにおける番組構成によるローカルネットワーク情報を衛星系のトランスポートストリームに含まれる他ネットワーク情報と間欠的に置き換えて送出する
ことを特徴とするネットワーク情報の送出方法。
【発明の詳細な説明】
【０００１】
【発明の属する技術分野】
本発明は、ローカルエリアにおいて衛星系のデジタルサービス信号を変調変換方式によりケーブル伝送用のデジタルサービス信号に変換してケーブルネットワークに再送出する際のネットワーク情報の送出方法に関する。
【０００２】
【従来の技術】
従来より、例えばケーブルテレビ事業者が、衛星を介して供給されるデジタル多チャネル放送番組を受信し、自ら有するネットワークを利用して各家庭に配信する等、任意のネットワークで放送されているデジタル放送番組を他のネットワークで配信サービスすることが行われている。
【０００３】
衛星ネットワークにおいてサービスされているデジタル多チャンネルサービスをケーブルネットワーク(ケーブルテレビ施設や共聴施設)内で変調変換方式により再送出する変調変換再送出システムでは、衛星事業者によるデジタル多チャンネル放送を、ケーブル局や共聴施設の操守設備において受信し、トランスポートストリーム(TS:Transport Stream) の状態に戻し、再びケーブル用の変調方式によってケーブルテレビのＲＦ周波数に変換し、再送出することで、ケーブルネットワーク内でデジタル多チャンネルサービスを実現している。
【０００４】
この場合、ＴＳ中に多重されているプログラム仕様情報(PSI:Program Specific Information)と呼ばれる選局に関わる情報の一部であり、主に伝送路に関する物理的な情報を持つネットワーク情報(NIT: Network Information Table)は、衛星とケーブルとで異なるために、ケーブル用のネットワーク情報に置き換える必要がある。さらに、ＮＩＴ中には、周波数情報などの物理情報の他に、伝送されるチャンネルに含まれるは番組に関する情報(サービスＩＤ)も含まれている。そして、ケーブルテレビの伝送路に接続されるセット・トップ・ボックス (宅内受信装置) は、ＮＩＴを検出し、それに含まれる番組情報に基づいて所定の番組を受信するように構成される。
【０００５】
セット・トップ・ボックスで番組やサービスを正常に表示するためには、再送出において衛星系の全番組をサービスする場合には上記サービスＩＤはそのままとなるが、特定のトランスポンダのみを再送出する場合には、再送しないトランスポンダに含まれる番組のサービスＩＤはＮＩＴ中から削除しなければならない。
【０００６】
デジタル放送受信機では、このＮＩＴを基に番組選局を行うので、伝送路に存在しない番組のサービスＩＤがあると、存在しない番組を検索してしまうことにより、誤動作をするおそれがある。
【０００７】
【発明が解決しようとする課題】
このように衛星系の番組を変調変換再送出方式により、ケーブルネットワークに再送出する場合には、基本的にＮＩＴ情報以外のストリームには手を加えないため、ローカルエリアで付加されたネットワークに関する情報を挿入することは困難であり、異なるネットワーク間を関連付けることができない。
【０００８】
また、ローカルエリアにおけるサービスに関する情報を加工するためにはストリーム中のＰＳＩ／ＳＩ情報をすべて付け替えることになり、莫大な設備投資・運用コストを必要とする。
【０００９】
また、受信機の動作はネットワーク情報を元に行われているため、他ネットワーク情報としてローカルネットワーク情報を持たないシステムでは、受信動作が複雑になるおそれがある。
【００１０】
さらに、ネットワーク毎に電子番組案内情報(EPG：Electoric Program Guide)などのＳＩ情報が異なるために、異なるネットワークをネットワーク識別子によって区別しないシステムでは、受信機での受信動作に動作不良を起こすおそれがある。
【００１１】
そこで、本発明の目的は、このように再送出サービスを行うネットワーク業者及び受信者の双方にとって不便となってしまう問題を解消し、ローカルエリアにおいて衛星系のデジタルサービス信号を変調変換方式によりケーブル伝送用のデジタルサービス信号に変換してケーブルネットワークに再送出する際に、ローカルエリアにおける番組構成による新たなネットワークを追加することを可能にしたネットワーク情報の送出方法を提供することにある。
【００１２】
【課題を解決するための手段】
本発明に係るネットワーク情報の送出方法は、ローカルエリアにおいて衛星系のデジタルサービス信号を変調変換方式によりケーブル伝送用のデジタルサービス信号に変換してケーブルネットワークに再送出するに当たり、衛星系での番組情報作成時に、ローカルエリアにおいてローカルネットワーク情報を他ネットワーク情報として挿入するための容量を確保したスタッフィングテーブルを送出し、ローカルエリアにおける番組構成によるローカルネットワーク情報を衛星系のトランスポートストリーム中に他ネットワーク情報として挿入してケーブルネットワークに送出することを特徴とする。
【００１３】
また、本発明に係るネットワーク情報の送出方法は、ローカルエリアにおいて衛星系のデジタルサービス信号を変調変換方式によりケーブル伝送用のデジタル多チャンネルサービス信号に変換してケーブルネットワークに再送出するに当たり、衛星系のトランスポートストリーム中の一部の番組を削除し、削除した番組のネットワーク情報に換えて、ローカルエリアにおける番組構成によるローカルネットワーク情報を衛星系のトランスポートストリーム中に他ネットワーク情報として挿入して送出することを特徴とする。
【００１４】
また、本発明に係るネットワーク情報の送出方法は、ローカルエリアにおいて複数の衛星系のデジタルサービス信号を変調変換方式によりケーブル伝送用のデジタル多チャンネルサービス信号に変換してケーブルネットワークに再送出するに当たり、再送出しない一部の衛星系のネットワーク情報に換えて、ローカルエリアにおける番組構成によるローカルネットワーク情報を衛星系のトランスポートストリーム中に他ネットワーク情報として挿入して送出することを特徴とする。
【００１５】
また、本発明に係るネットワーク情報の送出方法は、ローカルエリアにおいて複数の衛星系のデジタルサービス信号を変調変換方式によりケーブル伝送用のデジタル多チャンネルサービス信号に変換してケーブルネットワークに再送出するに当たり、ローカルエリアにおける番組構成によるローカルネットワーク情報を衛星系のトランスポートストリームに含まれる他ネットワーク情報と間欠的に置き換えて送出することを特徴とする。
【００１６】
【発明の実施の形態】
以下、本発明の実施の形態について図面を参照して詳細に説明する。
【００１７】
本発明に係るネットワーク情報の送出方法は、例えば図１に示すような構成の情報伝送システムに適用される。
【００１８】
この情報伝送システムは、複数のケーブル事業者によって運営されるセンター局１から通信衛星２を介して送信されてくるデジタル放送信号等をケーブルテレビ局３が受信して、ケーブルテレビ局３からケーブルテレビ網４を介して視聴者宅５の受信機６に配信するようになっている。
【００１９】
この情報伝送システムにおいて、センター局１の送信部１１は、番組供給事業者から供給されたMPEG圧縮されている番組情報にスクランブルを施して、電子番組案内情報(EPG:Electoric Program Guide) 及び視聴者管理情報等のサービス情報とともに多重化し、直線偏波のＣＳ波として通信衛星２に向けて送信する。また、視聴者管理部１２は、視聴者にＩＣカード６０を発行する。視聴者管理部１２の鍵管理部１３は、ＩＣカード６０に対応した視聴可能な番組を管理する。さらに、視聴情報処理部１４は、視聴者宅５の受信機６から通知された視聴情報に基づいて視聴料を計算し、ケーブルテレビ局３の顧客管理部３５に通知する。
【００２０】
ケーブルテレビ局３は、通信衛星２から送られてくるＣＳ波をＣＳアンテナ３１により受信し、アナログ波を用いたテレビジョン放送の電波を地上波アンテナ３２により受信し、放送衛星(図示せず)から送られてくる衛星放送の電波 (以下、ＢＳ波と記述する) をＢＳアンテナ３３により受信して、配信部３４により、入力されたＣＳ波とアナログ放送波(地上波及びＢＳ波)を混合し、その混合波をケーブルテレビ網４を介して視聴者宅５の受信機６に配信する。また、顧客管理部３５は、センター局１の視聴情報処理部１４からの視聴料情報に基づいて、視聴者に視聴料の請求を行う。
【００２１】
そして、視聴者宅５の受信機６は、入力された混合波から所定の番組情報を抽出し、テレビジョン受像機７に出力する。テレビジョン受像機７は、入力された番組情報を表示する。
【００２２】
この情報伝送システムでは、ローカルエリアにおいて付加された他ネットワークに関する情報ＮＩＴｒｏを変調変換方式により再送出されるＴＳ内に挿入できるようにするために、次の３つの方式のいずれかを採用する。
【００２３】
第１の方式では、衛星系での送出時に予め他ネットワーク情報ＮＩＴｒｏの領域をＴＳ内に確保する。
【００２４】
第２の方式では、再送出情報の減少によりスタッフィング化されたＮＩＴ領域の部分を他ネットワーク情報ＮＩＴｒｏの領域に割り振る。
【００２５】
第３の方式では、衛星系からのＴＳ中にＮＩＴｏ領域が確保されている場合には、この領域を利用してケーブル伝送用に書き換えられた本来のＮＩＴｏとローカル情報であるＮＩＴｒｏを交互に送出する。
【００２６】
ここで、通信衛星２より送られてくるデジタル放送信号について説明する。この実施の形態において、このデジタル放送信号は、ＤＶＢ(Digital Video Broadcasting)システムに対応したものである。図２の(Ｂ)はＤＶＢシステムにおけるデジタル放送データのフレーム構成を示しており、８個のＭＰＥＧ２トランスポートパケット(図２の(Ａ)参照)で１フレームが構成されている。この場合、パケット内の同期バイト(＝４７Ｈ)を用い、８パケットに１回同期バイトを反転 (＝Ｂ８Ｈ) させてフレーム同期を得る構成となっている。なお、各ＭＰＥＧ２トランスポートパケット(ＭＰＥＧ２ＴＳパケット)には、リードソロモン (２０４，１８８) による誤り訂正符号が付加される。図２の(Ｂ)に示すデジタル放送データがＱＰＳＫ(Quadrature Phase Shift Keying) 変調され、その後にＳＨＦ帯に周波数変換されて通信衛星２０より送信されてくるデジタル放送信号となる。
【００２７】
図３は、ＭＰＥＧ２トランスポートパケットのパケット構成を示しており、１８８バイトのうち先頭の４バイトはパケットヘッダを構成している。パケットヘッダには該当パケットの個別ストリーム(データ列)の属性を示すパケット識別子(PID: Packet Identification)が配されている。ＭＰＥＧ２トランスポートパケットのペイロード（データ部）には、図４にパケット構成を示すＰＥＳ(Packetized Elementary Stream)パケットが再分割されて配されるとともに、さらにＭＰＥＧ２システムの中で規定されているプログラム仕様情報(PSI: Program Specific Informetion)としてのプログラム・アソシエーション・テーブル(PAT: Program Association Table) 、プログラム・マップ・テーブル(PMT: Program Map Table) 、ネットワーク・インフォメーション・テーブル(NIT: Network Information Table) 等のテーブル類もセクション形式によって配される。
【００２８】
ここで、ＰＳＩは簡便な選局操作及びプログラム選択を実現するために必要な情報である。ＰＡＴは各プログラム番号(１６ビット)毎に、そのプログラムを構成するパケットの情報を伝送するＰＭＴのＰＩＤを示すものであり、図５はＰＡＴのテーブル構造を示している。ＰＡＴ自体のＰＩＤとしては、固定的にＰＩＤ＝“０×００００”が割り当てられる。
【００２９】
主な内容について説明する。テーブルＩＤは、テーブルの種別を示すものであって、ＰＡＴでは“０×００”(１６進表記)である。ＴＳ ＩＤ は、ストリーム(多重化された符号化データ)を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“０×００００”の場合に、ＮＩＴのＰＩＤを示すものである。プログラム・マップＰＩＤは、ＰＭＴのＰＩＤを示すものである。
【００３０】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図６は、ＰＭＴのテーブル構造を示している。ＰＡＴと重複しない主な内容について説明する。テーブルＩＤは、テーブルの種別を示すものであって、ＰＭＴでは“０×０２”である。ＰＣＲ ＰＩＤは復号する際の基準となるクロック(PCR:Program Clock Reference)が含まれるパケットのＰＩＤを示すものである。ストリーム・タイプは、映像、音声、付加データ等、ストリームで伝送される信号の種類を示すものである。
【００３１】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。図７は、ＮＩＴのテーブル構造を示している。ＰＡＴ、ＰＭＴと重複しない主な内容について説明する。テーブルＩＤは、テーブルの種別を示すものであって、当該ネットワークが“０×４０”、他のネットワークが“０×４１”である。ネットワークＩＤは、ネットワークを識別するものである。衛星の場合は個々の衛星に相当する。
【００３２】
変調変換方式によってデジタル多チャンネル放送信号をケーブルテレビにて再送出する場合には、上記ＮＩＴが書き換えられる。ここで、ＮＩＴ中に含まれ、書換えが必要となるディスクリプタについて説明する。
【００３３】
まず、衛星系のＮＩＴ中にあるサテライト・デリバリー・システム・ディスクリプタを説明する。このディスクリプタは、ＴＳ (トランスポート・ストリーム) ディスクリプタ長に従って繰り返されるディスクリプタの１番目として使用するものであって、ＴＳ ＩＤと一対になる。
【００３４】
図８は、サテライト・デリバリー・システム・ディスクリプタの構造を示している。ディスクリプタ・タグは、ＤＶＢで規定されており、ディスクリプタの種別を示すものである。このディスクリプタでは、“０×４３”となる。周波数は、ストリーム(ここではトランスポンダ)毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００３５】
ケーブルテレビ局での再送出時には、上記サテライト・デリバリー・システム・ディスクリプタが図９に示すようにケーブル・デリバリー・ディスクリプタに置き換えられる。ディスクリプタでは、“０×４４”となる。周波数は、再送出されるケーブルテレビでの物理チャンネル毎の伝送周波数を示している。変調／シンボル・レート／内側誤り訂正符号化率は、伝送方式に関する仕様を示すものである。このディスクリプタは、全長が衛星用とケーブル用とで同じあり、単純に置き換えることができる。
【００３６】
次に、サービス・リスト・ディスクリプタを説明する。このディスクリプタは、ＴＳディスクリプタ長に従って繰り返されるディスクリプタの２番目以降として使用するものであって、当該ストリーム(ここではトランスポンダ)に多重されたサービス(チャネル)のＩＤを示すものである。すなわち、一つのＴＳＩＤに複数のサービス・リスト・ディスクリプタが附属する。
【００３７】
図１０は、サービス・リスト・ディスクリプタの構造を示している。ディスクリプタ・タグは、ＤＶＢで規定されており、ディスクリプタの種別を示すものである。このディスクリプタでは、“０×４１”となる。サービスＩＤは、サービスを識別するものである。通常、サービスは視聴者が選局するチャネルと一致する。サービスタイプは、映像、音声、データ等、サービスの内容を示すものである。
【００３８】
ケーブルテレビ局での再送出時には、衛星からの全トランスポンダ分の番組をケーブル内でサービスする場合には、このディスクリプタの情報はそのままとなるが、特定のトランスポンダの信号のみをサービスする場合には再送出しないトランスポンダに含まれる番組のサービスＩＤを削除する。この場合、削除されて減った分の情報にはダミーデータを付加して、サービス・リスト・ディスクリプタの全長を衛星系と同じにすることによって、単純に置き換えることができる。
【００３９】
また、ＰＳＩテーブルの伝送は、セクション(Section) と呼ばれる形式によってセグメント化されることがＭＰＥＧ２システムによって規定されている。例えば、ＮＩＴは４ｋバイト毎にセクション化され、それぞれのセクションは、図７に示す形式によって構成される。複数のセクションに分けられたＮＩＴは、セクション番号によって関連付けられる。全セクション数はテーブル中に最終セクション番号として記述されており、セクション番号と最終セクション番号が一致するまでが一連のＮＩＴデータとなっている。
【００４０】
次に、図１に示したケーブル伝送システムにおけるケーブルテレビ局３の配信部３４の具体的な構成例について、図１１を参照して説明する。
【００４１】
この図１１に示す構成の配信部３４において、信号分配器４１は、ＣＳアンテナ３１を介して入力されたＣＳ波を変調変換装置４２−１乃至４２−Ｎ (Ｎは、ＣＳ波に含まれるチャンネル数である) に分配する。なお、上述したチャンネルとは、アナログ放送波におけるチャンネル(放送局)とは異なり、１つのトランスポンダにより多重化された複数の番組が含まれる１つの伝搬波のことである。図１２は、信号分配器３４１に入力される前のＣＳ波の状態の一例を示している。すなわち、ＣＳ波のＨ偏波には、ＴＳ１、ＴＳ３及びＴＳ５が含まれ、ＣＳ波のＶ偏波には、ＴＳ２、ＴＳ４及びＴＳ６が含まれていることを示している。
【００４２】
変調変換装置４２は、入力されたＴＳをケーブルテレビの１つのチャンネル分の信号(ＱＡＭ信号)に変換し、信号混合器４３に出力する。
【００４３】
地上波再送出装置４４は、地上波受信アンテナ３２を介して受信したアナログ放送波を、ＲＦ変換して信号混合器４５に出力し、衛星信号再送出装置４５は、ＢＳアンテナ３３が受信したＢＳ波をＲＦ変換（ＦＭ信号からＡＭ信号への変調変換をアナログ処理により行う）してケーブルテレビへの再送信波として信号混合器４５に出力する。
【００４４】
図１３は、変調変換装置４２の具体的な構成例を示している。この図１３に示す構成の変調変換装置４２において、ＱＰＳＫ復調回路４２１は、入力されたＣＳ波をＱＰＳＫ復調して誤り訂正回路４２２に出力する。誤り訂正回路４２２は、入力された信号を誤り訂正し、誤り訂正済みのＴＳをネットワーク情報(NIT:Network Information Table) 変換回路４２３に出力する。
【００４５】
ＮＩＴ変換回路４２３は、ＣＳ波用のＮＩＴ (ＣＳ波の全チャンネルに共通の情報であり、チャンネル(伝搬波)に含まれる番組の情報を示している。受信機において希望する番組を受信する際に必要となる。) を、ケーブルテレビ用のＮＩＴに置き換えてＱＡＭ変調回路４２４に出力する。
【００４６】
ＱＡＭ変調回路４２４は、入力された信号をＱＡＭ変調し、周波数変換回路４２５に出力する。周波数変換回路４２５は、入力された信号の周波数を所定の値に変換して信号混合器４５に出力する。
【００４７】
信号混合器４５は、変調変換装置４２−１乃至４２−Ｎ、地上波再送出装置４３及び衛星信号再送出装置４４、それぞれから入力された信号を、例えば図１４に示すように混合し、増幅器４６に出力する。増幅器４６は、入力された混合波を増幅し、ケーブルテレビ網４を介して受信機６に供給する。
【００４８】
ここで、上記ＮＩＴ変換回路４２３の具体的な構成例について図１５ないし図２４を参照して説明する。
【００４９】
ＮＩＴ変換回路４２３は、図１５に示すように、制御装置４３１によりインタフェース４３２を介して制御されるＮＩＴ抽出部４４０及びＮＩＴ再挿入部４５０を備え、上記誤り訂正回路４２２から順次出力される誤り訂正済みのＴＳがＮＩＴ抽出部４４０とＮＩＴ再挿入部４５０に供給されるようになっている。
【００５０】
上記ＮＩＴ抽出部４４０は、上記ＴＳが供給されるＮＩＴ検出回路４４１と、このＮＩＴ検出回路４４１によりＴＳ中から検出されたＮＩＴを一時的に記憶するメモリ４４２からなる。
【００５１】
上記ＮＩＴ抽出部４４０の具体的な構成例を図１６に示してあるように、ＮＩＴ検出回路４４１は、制御部４４３によりにより制御されるＮＩＴ・ＰＩＤフィルタ４４４と、このＮＩＴ・ＰＩＤフィルタ４４４により検出されたＮＩＴを上記メモリ４４２に出力するＮＩＴパケット出力回路４４５からなる。また、上記メモリ４４２は、ＦＩＦＯ(First In First Out)メモリからなり、上記制御装置４３１によりインターフェース４３２を介してデータの書き込み及び読み出しが制御される。
【００５２】
ここで、複数の衛星によりサービスが行われている場合には、ＴＳ中に当該ＴＳに関するＮＩＴａと他の衛星によって伝送されているＴＳに関わるＮＩＴｏの複数のＮＩＴを持つことになり、これらはテーブルＩＤによって識別することができる。上記ＮＩＴ抽出部４４０では、上記ＮＩＴ検出回路４４１においてＮＩＴａとＮＩＴｏの両方に対してＮＩＴ検出が行われ、検出した順に上記ＦＩＦＯメモリ４４２に書き込まれていく。上記ＦＩＦＯメモリ４４２への書き込みはＴＳと同期した書き込みクロックwrite_clk を使用して行われ、上記ＮＩＴ検出回路４４１によるＮＩＴの検出と上記ＦＩＦＯメモリ４４２への書き込み処理はリアルタイムに行われるようになっている。
【００５３】
このＮＩＴ抽出部４４０は、図１７のフローチャートに示す手順に従って、ＮＩＴの抽出処理を行う。
【００５４】
すなわち、このＮＩＴ抽出部４４０は、制御装置４３１からの検出開始信号start を制御部４４３が受け付けることにより動作状態になり、ＰＩＤ (＝”０×００１０”) を参照することでＴＳパケット毎にＮＩＴの検出動作を行う。
【００５５】
制御部４４３は、ＴＳパケットをＮＩＴ・ＰＩＤフィルタ４４に取り込み (ステップＳ１) 、ＮＩＴのＰＩＤを判定し(ステップＳ２)、ＮＩＴのＰＩＤが検出されると、ＮＩＴの先頭データであるか否かを判定して(ステップＳ３)、ＮＩＴのＰＩＤが検出されたパケットにテーブルＩＤを含む場合には、自ネットワークのテーブル又は他ネットワークのテーブルであるかをテーブルＩＤ (自ネットワーク”０×４０”、他ネットワーク”０×４１”) を参照することで確認して (ステップＳ４) 、上記ＮＩＴ・ＰＩＤフィルタ４４４により検出されたＮＩＴをＮＩＴパケット出力回路４４５から出力し、検出開始後、最初に受信したテーブルの先頭データより(つまりテーブルＩＤ)からＦＩＦＯメモリ４４２に書き込んでいく(ステップＳ５，Ｓ６)。
【００５６】
さらに、制御部４４３は、自ネットワークのＮＩＴａ、他ネットワークのＮＩＴｏの両方のＮＩＴを抽出したか否かを判定し(ステップＳ７)、抽出が終了していない場合にはステップＳ１に戻ることにより、１８８バイトのＴＳパケット毎に上記ＮＩＴを抽出処理を繰り返し行う(ステップＳ８)。
【００５７】
そして、制御部４４３は、自ネットワークのＮＩＴａ、他ネットワークのＮＩＴｏの両方のＮＩＴを一通り検出し、ＦＩＦＯメモリ４４２に書き込み後、制御装置に抽出の終了を通知し、一連の検出動作を終了する。書き込み終了後、ＦＩＦＯには図１８に示すようにＮＩＴデータが保持されることになる。
【００５８】
また、上記ＮＩＴ再挿入部４５０は、図１９に具体的な構成例を示してあるように、上記制御装置４３１からインターフェース４３２を介してケーブル用のＮＩＴデータが送られてくるメモリ部４５１と、上記ＴＳが供給されるＮＩＴ置換回４５２からなり、ケーブル用のＮＩＴデータをメモリ部４５１に記憶しておき、衛星系から送られてくるＴＳのＮＩＴをケーブル用のＮＩＴデータにＮＩＴ置換回路４５２により順次置き換える。
【００５９】
上記メモリ部４５１は、上記制御装置４３１からインターフェース４３２を介してケーブル用のＮＩＴデータが送られてくるＦＩＦＯメモリ４５３と、このＦＩＦＯメモリ４５３からケーブル用のＮＩＴデータを引き出して記憶しておく２個のＳＲＡＭ４５４Ａ，４５４Ｂと、ＳＲＡＭ４５４Ａ，４５４Ｂのアドレスを生成するアドレスカウンタ４５５からなる。このメモリ部４５１は、上記制御装置４３１によりインターフェース４３２を介してＦＩＦＯメモリ４５３へのデータの書き込み及び読み出しが制御されるようになっており、上記制御装置４３１からインターフェース４３２を介して送られてくるケーブル用のＮＩＴデータをＦＩＦＯメモリ４５３に保持しておき、このＦＩＦＯメモリ４５３からケーブル用のＮＩＴデータを引き出してＳＲＡＭ４５４Ａ又はＳＲＡＭ４５４Ｂに記憶しておいて、衛星系からＴＳのＮＩＴがＮＩＴ置換回路４５２に繰り返し送られてくるたびに、ケーブル用のＮＩＴデータをＳＲＡＭ４５４Ａ又はＳＲＡＭ４５４Ｂから上記ＮＩＴ置換回路４５２に送り出す。
【００６０】
上記ＮＩＴ置換回路４５２は、上記ＴＳが供給されるＮＩＴパケット検出回路４５６と、このＮＩＴパケット検出回路４５６の検出出力が供給される制御部４５７と、この制御部４５７により切替え制御されるＲＡＭ切替回路４５８と、上記ＮＩＴパケット検出回路４５６の検出出力により切替え制御されるＮＩＴ切替回路４５９からなる。
【００６１】
このＮＩＴ再挿入部４５０における上記メモリ部４５１の２個のＳＲＡＭ４５４Ａ，４５４Ｂは、上記ＮＩＴ置換回路４５２の制御部４５７によってデータの書き込み及び読み出しが制御されるようになっており、ＮＩＴの書換えのたびに交互に使用される。すなわち、上記ＮＩＴ置換回路４５２の制御部４５７は、例えば、一方のＳＲＡＭ４５４Ａに書き込まれたデータを上記ＮＩＴ置換回路４５２に出力している間、他方のＳＲＡＭ４５４Ｂを出力オフの状態にしておき、最新のケーブル用のＮＩＴデータをＦＩＦＯメモリ４５４Ａを介してＳＲＡＭ４５４Ｂに書き込む。そして、ＳＲＡＭ４５４Ｂへの最新のケーブル用のＮＩＴデータの書き込みを終了すると、ＳＲＡＭ４５４Ｂを出力オンの状態にして、上記ＮＩＴ置換回路４５２にＮＩＴデータを出力できるようにするとともに、上記ＳＲＡＭ４５４Ａを出力オフの状態にして次の書換えまで待機させておく。このＦＩＦＯメモリ４５３からＳＲＡＭ４５４Ａ，４５４Ｂへデータの転送して書き込むＮＩＴデータの書換え処理は、ＴＳに同期したクロックでリアルタイムに行われる。
【００６２】
ここで、上記ＦＩＦＯメモリ４５３には、上記制御装置４３１によりインターフェース４３２を介してケーブル用のＮＩＴデータが自ネットワークのＮＩＴａ、他ネットワークのＮＩＴｏの順に書き込まれる。これにより、自ネットワークのＮＩＴａと他ネットワークのＮＩＴｏが、図２０に示すように、ＦＩＦＯメモリ４５３に格納される。
【００６３】
そして、上記ＮＩＴ置換回路４５２は、上記制御装置４３１から転送開始信号start を制御部４５７が受け付けると、ＦＩＦＯメモリ４５３からＳＲＡＭ４５４Ａ又はＳＲＡＭ４５４ＢへＮＩＴデータを転送する。転送操作は、自ネットワークのＮＩＴａから始め、ＮＩＴａのデータをＳＲＡＭにすべて書き込んだ後に、他ネットワークのＮＩＴｏのデータをＳＲＡＭのＮＩＴａの格納場所と異なる格納場所に書き込んでいく。ＳＲＡＭ４５４Ａ，４５４Ｂに対するＮＩＴデータの書き込みの例を図２１に示す。
【００６４】
このＮＩＴ置換回路４５２において、ＦＩＦＯメモリ４５３からＳＲＡＭ４５４Ａ，４５４ＢへのＮＩＴデータの転送処理は、図２２のフローチャートに示す手順に従って行われる。
【００６５】
すなわち、上記ＮＩＴ置換回路４５２では、制御部４５７によりＲＡＭ切替回路４５８を切替え制御して、ＴＳパケットに対応して例えば一方のＳＲＡＭ４５４Ａを選択している状態で(ステップＳ１１)、上記ＮＩＴパケット検出回路４５６により検出されたＮＩＴパケットが自ネットワークのＮＩＴａパケットであるか否かを判定し(ステップＳ１２)、ＮＩＴａパケットであるときには、制御部４５７にメモリ部４５１への書き込み許可を出すとともにアドレスカウンタ４５５をスタートさせ(ステップＳ１３)、アドレスカウンタ４５５によりアドレスを生成させて(ステップＳ１４)、ＦＩＦＯメモリ４５３から他方のＳＲＡＭ４５４Ｂに自ネットワークのＮＩＴａデータを転送して書き込む (ステップＳ１５) 。
【００６６】
そして、ＳＲＡＭ４５４Ｂへの自ネットワークのＮＩＴａデータの書き込みを終了したとき(ステップＳ１６)、あるいは、上記ステップＳ１２において上記ＮＩＴパケット検出回路４５６により検出されたＮＩＴパケットが自ネットワークのＮＩＴａパケットでないときには、上記ＮＩＴパケット検出回路４５６により検出されたＮＩＴパケットが他ネットワークのＮＩＴｏパケットであるか否かを判定し(ステップＳ１７)、ＮＩＴｏパケットでないときには、ステップＳ１１に戻って、上記ＮＩＴパケット検出回路４５６により自ネットワークのＮＩＴａパケットあるいは他ネットワークのＮＩＴｏパケットが検出されるのを待機し、ＮＩＴｏパケットであるときには、制御部４５７にメモリ部４５１への書き込み許可を出すとともにアドレスカウンタ４５５をスタートさせ(ステップＳ１８)、アドレスカウンタ４５５によりアドレスを生成させて（ステップＳ１９）、ＳＲＡＭ４５４Ｂに他ネットワークのＮＩＴｏデータを書き込む(ステップＳ２０)。
【００６７】
ＳＲＡＭ４５４Ｂへの他ネットワークの１パケット分のＮＩＴｏデータの書き込みを終了すると(ステップＳ２１)、ＮＩＴｏパケットの全データについて処理を終了したか否かを判定し(ステップＳ２２)、ＮＩＴｏパケットの全データに対する処理が終了していないときにはステップＳ１１に戻り、ＮＩＴａパケット及びＮＩＴｏパケットの両データに対する処理を終了したときには、制御装置に終了を通知し、他方のＳＲＡＭ４５４Ｂを選択するようにＲＡＭ切替回路４５８を制御して(ステップＳ２３)、ＦＩＦＯメモリ４５３からＳＲＡＭ４５４ＢへのＮＩＴデータの転送処理を終了する。
【００６８】
このようにして、新たに書き換えられたＮＩＴデータを格納したＳＲＡＭ４５４Ｂを使用状態にし、これまで使用していたＳＲＡＭ４５４Ａを次回のＮＩＴ書換えのために待機状態にしておく。
【００６９】
また、このＮＩＴ置換回路４５２では、上述のようにしてＦＩＦＯメモリ４５３から他方のＳＲＡＭ４５４ＢへのＮＩＴデータの転送処理を行いながら、一方のＳＲＡＭ４５４Ａに記憶されているＮＩＴデータを用いて、衛星系から送られてくるＴＳのＮＩＴをケーブル用のＮＩＴデータに置き換える置換処理を図２３のフローチャートに示す手順に従って行う。
【００７０】
すなわち、上記ＮＩＴ置換回路４５２では、上記ＮＩＴパケット検出回路４５６により検出されたＮＩＴパケットが自ネットワークのＮＩＴａパケットであるか否かを判定し(ステップＳ３１)、ＮＩＴａパケットであるときには、メモリ部４５１からの読み出し許可を出すとともにアドレスカウンタ４５５をスタートさせ(ステップＳ３２)、アドレスカウンタ４５５によりアドレスを生成させて (ステップＳ３３) 、ＳＲＡＭ４５４Ａから自ネットワークのＮＩＴａデータを読み出してＲＡＭ切替回路４５８を介してＮＩＴ切替回路４５７に供給する (ステップＳ３４) 。
【００７１】
上記ＮＩＴ切替回路４５７は、上記ＮＩＴパケット検出回路４５６からの検出出力によりＮＩＴデータの期間だけ、上記誤り訂正回路４２２側から上記ＲＡＭ切替回路４５８側に切り替えられる。これにより、衛星系から送られてきたＴＳのＮＩＴデータの内容をケーブル用のＮＩＴａデータに置き換える (ステップＳ３５) 。
【００７２】
そして、ＳＲＡＭ４５４Ａからの自ネットワークのＮＩＴａデータの読み出しを終了したとき(ステップＳ３６)、あるいは、上記ステップ１において上記ＮＩＴパケット検出回路４５６により検出されたＮＩＴパケットが自ネットワークのＮＩＴａパケットでないときには、上記ＮＩＴパケット検出回路４５６により検出されたＮＩＴパケットが他ネットワークのＮＩＴｏパケットであるか否かを判定し(ステップＳ３７)、ＮＩＴｏパケットでないときには、ステップＳ３１に戻って、上記ＮＩＴパケット検出回路４５６により自ネットワークのＮＩＴａパケットあるいは他ネットワークのＮＩＴｏパケットが検出されるのを待機し、ＮＩＴｏパケットであるときには、メモリ部４５１からの読み出し許可を出すとともにアドレスカウンタ４５５をスタートさせ(ステップＳ３８)、アドレスカウンタ４５５によりアドレスを生成させて(ステップＳ３９)、ＳＲＡＭ４５４Ａから他ネットワークのＮＩＴｏデータを読み出してＲＡＭ切替回路４５８を介してＮＩＴ切替回路４５７に供給する(ステップＳ４０)。
【００７３】
上記ＮＩＴ切替回路４５７は、上記ＮＩＴパケット検出回路４５６からの検出出力によりＮＩＴデータの期間だけ、上記誤り訂正回路４２２側から上記ＲＡＭ切替回路４５８側に切り替えられる。これにより、衛星系から送られてきたＴＳのＮＩＴデータの内容をケーブル用のＮＩＴｏデータに置き換える (ステップＳ４１) 。
【００７４】
上記ＳＲＡＭ４５４Ａからの他ネットワークのＮＩＴｏデータの読み出しを終了すると(ステップＳ４２)、ステップＳ３１に戻って、上記ＮＩＴパケット検出回路４５６により次の自ネットワークのＮＩＴａパケットあるいは他ネットワークのＮＩＴｏパケットが検出されるのを待機する。
【００７５】
このような構成のＮＩＴ変換回路４２３において、上記ＮＩＴ抽出部４４０によりＦＩＦＯメモリ４４２に取り込まれた衛星系のＮＩＴデータは、インターフェース４３２を介して制御装置４３１に送られる。制御装置４３１は、ソフトウエア処理により上記衛星系のＮＩＴからケーブル伝送に合ったＮＩＴを生成する。そして、ケーブル用に変換されたＮＩＴデータが、上記制御装置４３１からインターフェース４３２を介して上記ＮＩＴ置換部４５０のＦＩＦＯメモリ４５３に供給される。この実施の形態におけるＮＩＴ置換部４５０では、ＮＩＴａ，ＮＩＴｏの順でＦＩＦＯメモリ４５３にデータが書き込まれる。
【００７６】
このような構成のＮＩＴ変換回路４２３では、図２４のフローチャートに示す手順に従って、ＮＩＴ処理を行う。
【００７７】
すなわち、先ず、バージョン番号を付け替え(ステップＳ５１)、必要に応じてネットワークＩＤも付け替える(ステップＳ５２)。
【００７８】
そして、衛星ネットワークからのＴＳの処理ループに入って(ステップＳ５３)、衛星ネットワークからのストリーム(ここではトランスポンダ)がケーブルネットワークに再送するトランスポンダであるか否かを判定する(ステップＳ５４)。
【００７９】
再送するトランスポンダであるときには、サービス・リスト・ディスクリプタ(Service_list_descriptor) であることを確認して(ステップＳ５５)、再送サービスであるか否かを判定する(ステップＳ５６)。
【００８０】
再送サービスでないときには、サービスＩＤやサービスタイプを削除する。すなわち、再送出しているストリーム中のサービスをしない番組の情報 (サービスＩＤ) やサービスタイプを削除する(ステップＳ５７)。
【００８１】
再送サービスであるとき、又は、上記サービスＩＤやサービスタイプを削除下後に、ディスクリプタ長を確認して(ステップＳ５８)、サービス・リスト・ディスクリプタ(Service_list_descriptor) 長の付け替え、スタッフィング・ディスクリプタ(Stuff_descriptor)を挿入し(ステップＳ５９)、さらに、サテライト・デリバリー・ディスクリプタ(Sattelite_delivery_descriptor) をケーブル・デリバリー・ディスクリプタ(Cable_delivery_descriptor) に置き換える (ステップＳ６０) 。
【００８２】
このように、ＮＩＴの書換え処理において、例えば衛星ネットワークからのストリーム(ここではトランスポンダ)をケーブルネットワークに再送する場合は、少なくともサテライト・デリバリー・ディスクリプタ(Sattelite_delivery_descriptor) をケーブル・デリバリー・ディスクリプタ(Cable_delivery_descriptor)に置き換えることで、周波数情報の整合をとる。このことは、ケーブル用の受信機で受信動作を可能にするめに最小限必要な処理である。また、ケーブルネットワークに再送出されないストリーム(ここではトランスポンダ)に関する情報、再送出しているストリーム中のサービスをしない番組の情報(サービスＩＤ)を削除し、ダミーデータ等で目減りしたデータ分を埋め合わせる。さらに必要に応じてＮＩＴ中のセクション長、ディスクリプタ長などのデータ長に関する部分を、ＮＩＴバージョン番号、ビット誤り指標などの整合をとる。
【００８３】
なお、ダミーデータは、受信機において不良動作を起こさないような取決めを行う必要がある。例えば、スタッフィング・テーブルＩＤ，スタッフィング・ディスクリプタ・タグなどを取り決めて、送信機の仕様として取り決めておき、そのようなテーブルＩＤやディスクリプタ・タグが伝送されてきた場合には、受信機側で無視するようにすればよい。
【００８４】
また、再送するトランスポンダでないときには、サービス・リスト・ディスクリプタ(Service_list_descriptor) とサテライト・デリバリー・ディスクリプタ(Sattelite_delivery_descriptor) をスタッフィング・ディスクリプタ(Stuff_descriptor) に置き換える(ステップＳ６１)。
【００８５】
上記再送するトランスポンダに対する処理(ステップＳ５５〜Ｓ６０)、又は、再送しないトランスポンダに対する処理(ステップＳ６１)を行うたびに、ＴＳのループ長を確認して、ステップＳ５３に戻って、ステップＳ３〜Ｓ１２の処理をＴＳのループ長に亘って繰り返し(ステップＳ６２)、その後にＣＲＣ３２を付け替えて(ステップＳ６３)、ＮＩＴの書換え処理を終了する。
【００８６】
同様にして、他ネットワークに関するネットワーク情報を書き換えることができる。例えば、２つの衛星によりサービスが行われている場合に、片方のサービスしかケーブルネットワーク内に再送出しないときには他ネットワークのＮＩＴｏのセクションはスタッフィング・テーブルＩＤを利用してダミーデータ化してしまう。両衛星ネットワークのＮＩＴａをそれぞれケーブルネットワーク内でのサービス状況に合わせた書換えを行い、同時にＮＩＴａと整合をとってＮＩＴｏを書き換える。
【００８７】
次に、ケーブルテレビ局３における配信部３４による情報配信処理について、図２５のフローチャートを参照して説明する。
【００８８】
ステップＳ７１において、ＣＳアンテナ３１は、通信衛星２を介してＣＳ波を受信して配信部３４に出力する。地上波アンテナ３２は、アナログ放送波を受信して配信部３４に出力する。ＢＳアンテナ３３は、放送衛星を介してＢＳ波を受信し、配信部３４に出力する。
【００８９】
ステップＳ７２において、信号分配器４１は、ＣＳ波を変調変換装置４２−１乃至４２−Ｎに分配する。地上波再送出装置４３は、入力されたアナログ放送波をＲＦ変換して信号混合器４５に出力する。衛星信号再送出装置４４は、入力されたＢＳ波をＲＦ変換（ＦＭ信号からＡＭ信号への変調変換をアナログ処理により行う）してケーブルテレビへの再送信波として信号混合器４５に出力する。
【００９０】
ステップＳ７３において、変調変換装置４２のＱＰＳＫ復調回路４２１は、入力されたＣＳ波をＱＰＳＫ復調し、誤り訂正回路４２２に出力する。
【００９１】
ステップＳ７４において、誤り訂正回路４２２は、入力された信号の誤り訂正を行い、誤り訂正済みのＴＳをＮＩＴ変換回路４２３に出力する。
【００９２】
ステップＳ７５において、ＮＩＴ変換回路４２３は、ＣＳ波用のＮＩＴを、ケーブルテレビ用のＮＩＴに置き換えてＱＡＭ変調回路４２４に出力する。
【００９３】
ステップＳ７６において、ＱＡＭ変調回路４２４は、入力された信号をＱＡＭ変調し、周波数変換回路４２５に出力する。
【００９４】
ステップＳ７７において、周波数変換回路４２５は、入力された信号の周波数をケーブルテレビ網４において伝送可能な所定の値に変換し、信号混合器４５に出力する。
【００９５】
ステップＳ７８において、信号混合器４５は、変調変換装置４２−１乃至４２−Ｎ、地上波再送出装置４３及び衛星信号再送出装置４４、それぞれから入力された信号を混合して増幅器４６に出力する。
【００９６】
ステップＳ７９において、増幅器４６は、入力された混合波を増幅し、ケーブルテレビ網４を介して受信機６に配信する。
【００９７】
ここで、この情報伝送システムにおいて、ローカルエリアにおいて付加された他ネットワークに関する情報ＮＩＴｒｏを変調変換方式により再送出されるＴＳ内に挿入できるようにするために採用される第１乃至第３の方式について説明する。
【００９８】
先ず、第１の方式では、衛星側で番組データと、その他のＰＳＩ／ＳＩを多重化するときにケーブルテレビ局３等のローカルエリアにおいて付け加えられたネットワークの情報ＮＩＴｒｏをＴＳ内に挿入できる領域を確保するために、図２６に示すように、ＮＩＴ ＰＩＤ (＝”０×００１０”)で、テーブルＩＤ”０×７２”を持つスタッフィング・テーブルを送出する。
【００９９】
そして、ケーブルテレビ局３では、この領域を利用し、変調変換装置４２による書換えＮＩＴの再挿入時にローカルエリアにおいて付け加えられたネットワークの情報ＮＩＴｒｏを挿入する。このときテーブルＩＤ”０×７２”は、他のネットワークの情報ＮＩＴｒｏを示すテーブルＩＤ”０×４１”に変更される。
【０１００】
次に、第２の方式では、図２７に示すように、ケーブル系での再送出時に流さない情報に関するデータはＮＩＴ中より削除することで空いた領域をローカルエリアでの他のネットワークの情報ＮＩＴｒｏの挿入領域として利用する。なお、この第２の方式は、衛星系のサービスをすべてケーブルネットワークに再送出する場合には利用できない。
【０１０１】
さらに、第３の方式は、複数の衛星によりサービスが行われている場合に有効となる。すなわち、上述の如く複数の衛星によりサービスが行われている場合には、ＴＳ中に当該ＴＳに関するＮＩＴａと他の衛星によって伝送されているＴＳに関わるＮＩＴｏを含んでおり、これらはテーブルＩＤによって識別することができる。ＮＩＴは一定の周期内に再送されることが規定されているが、この期間内に２回以上再送されている場合には、書換え時に、図２８に示すように、この内の少なくとも１回分のＮＩＴデータ領域分をローカルでのネットワーク情報ＮＩＴｒｏに置き換えることで、ネットワーク情報ＮＩＴｒｏを挿入することができる。例えば、ＮＩＴａの再送周期が１秒に１回、ＮＩＴｏの再送周期が５秒に１回と規定されており、運用上どちらも１秒に１回の頻度で再送が行われている場合には、５秒内に５回送られてくるＮＩＴｏの内、少なくとも１回をＮＩＴｒｏと置き換えることでローカルネットワーク情報ＮＩＴｒｏの挿入が行われる。
【０１０２】
次に、図１に示したケーブル伝送システムにおける受信機６の具体的な構成例について、図２９を参照して説明する。
【０１０３】
この図２９に示した構成の受信機６において、ケーブルフロントエンド部６１の受信チューナ６２は、混合波から所定の番組を含むＴＳを抽出し、ＱＡＭ復調回路６３に出力する。ＱＡＭ復調回路６３は、入力されたＴＳをＱＡＭ復調して誤り訂正回路６４に出力する。誤り訂正回路６４は、入力されたＴＳの誤り情報を訂正し、トランスポート部６５に出力する。トランスポート部６５のデスクランブラ６６は、ＴＳに施されているスクランブルを、センター局１が発行したＩＣカード６０に記録されているデスクランブル情報を用いて復号 (デスクランブル) し、デマルチプレクサ６７に出力する。
【０１０４】
デマルチプレクサ６７は、複数の番組情報が多重化されたＴＳから所定の番組情報を抽出してＭＰＥＧデコード部６８に供給する。ＭＰＥＧデコード部６８は、入力された番組情報をＭＰＥＧ伸張して映像信号と音声信号を生成し、テレビジョン受像機７に出力する。
【０１０５】
ホストプロセッサ６９は、視聴者の選局操作に基づいて、受信機６全体を制御するとともに、受信した有料番組の情報(番組視聴情報)をＩＣカード６０に記録する。また、ホストプロセッサ６９は、ＩＣカード６０に記録されているデスクランブル情報を読み出してデスクランブラ６６に供給する。さらに、ホストプロセッサ６９は、通信部７１を制御して、定期的にＩＣカード６０に記録されている番組視聴情報を公衆電話回線を介して衛星放送サービス業者１の視聴情報処理部１４に通知する。
【０１０６】
次に、受信機６におけるネットワーク切替え動作について説明する。
【０１０７】
ここでは、複数の衛星からのサービスを上記ケーブルテレビ局３で変調変換方式により再送出した信号を受信する場合におけるネットワーク切替え動作について説明する。
【０１０８】
受信機６のホストプロセッサ６９は、最新のネットワーク情報ＮＩＴａをメモリに記憶しており、これを元にケーブルフロントエンド部６１の受信チューナ６２を制御してネットワーク内の選局を行っている。他ネットワークの存在は、テーブルＩＤ”０×４１”を認識することで行い、その他のネットワークがどのネットワークのものであるかはネットワークＩＤを認識することで知ることができる。
【０１０９】
上記ホストプロセッサ６９は、ネットワーク切替え要求があると、ＮＩＴｏを取り込み、この情報に基づいて切替え先のＴＳを受信できるように受信動作を行う。
【０１１０】
そして、切替え先のＴＳを得た受信機６のホストプロセッサ６９は、そのＴＳよりネットワーク情報ＮＩＴａをメモリに取り込むことで、そのネットワーク内での選局動作が可能となる。例えば、２つのネットワークによるサービスが行われている場合、第１のネットワークのＴＳ中には自ネットワークの情報ＮＩＴａ１と他ネットワークの情報ＮＩＴｏ２が含まれており、第２のネットワークのＴＳ中には自ネットワークの情報ＮＩＴａ２と他ネットワークの情報ＮＩＴｏ１が含まれており、受信機６のホストプロセッサ６９は、ネットワーク情報ＮＩＴａ１，ＮＩＴｏ２又はネットワーク情報ＮＩＴａ２，ＮＩＴｏ１をメモリに格納している。そして、第１のネットワークから第２のネットワークに切り替えるときには、他ネットワークの情報ＮＩＴｏ２に基づいて、第２のネットワークに切り替わるための情報を得る。通常、他ネットワーク情報ＮＩＴｏには、他のネットワークのすべての情報が含まれておらず一部の情報のみが記されているので、ＮＩＴｏ２の情報により第２のネットワークに切り替わった後に、メモリの格納されているＮＩＴａ２の情報により、第２のネットワーク中のすべてのサービスについて選局可能となる。
【０１１１】
ここで、上記受信機６におけるネットワーク切替え動作の具体例として、ネットワークＩＤ＝”０１”からネットワークＩＤ＝”０２”に切り替える場合について説明する。
【０１１２】
図３０に示すように、ネットワークＩＤ＝”０１”を持つネットワークのストリームには、ネットワークＩＤ＝”０１”に関する自ネットワーク情報ＮＩＴａとネットワークＩＤ＝”０２”に関する他ネットワーク情報ＮＩＴｏが送出されており、ネットワークＩＤ＝”０２”を持つネットワークのストリームには、ネットワークＩＤ＝”０２”に関する自ネットワーク情報ＮＩＴａとネットワークＩＤ＝”０１”に関する他ネットワーク情報ＮＩＴｏが送出されている。
【０１１３】
ネットワークＩＤ＝”０１”からネットワークＩＤ＝”０２”に切り替える場合、当初、受信機６のホストプロセッサ６９は、ＮＩＴａ（ネットワークＩＤ＝”０１”に関するネットワーク情報）とＮＩＴｏ（ネットワークＩＤ＝”０２”に関するネットワーク情報）をメモリに格納しており、ＮＩＴａ内の周波数情報、番組情報に基づいて当該ネットワーク内での番組選局を行っている。ここで、ＮＩＴｏには、ネットワークＩＤ＝”０２”のネットワーク内の周波数情報、番組情報が含まれているが、ネットワークを切り替えるための必要最小限の情報を持てばよい。図３０に示す例では、ネットワークＩＤ＝”０２”のネットワーク内の情報の一部として、ＣＨ．３に関する周波数情報と、そのストリーム中に含まれる番組情報（ＳＩＤ＝”０５”）のみを持っている。
【０１１４】
上記ホストプロセッサ６９は、ネットワーク切替え要求があると、メモリに格納してある他ネットワーク情報ＮＩＴｏ中の情報に基づいて、この例ではＣＨ．３を受信し、ＳＩＤ＝”０５”に関する番組情報を画面に表示する。そして、上記ホストプロセッサ６９は、ＣＨ．３を受信することで、このネットワークのストリームよりネットワークＩＤ＝”０２”を持つネットワークに関する自ネットワーク情報ＮＩＴａとネットワークＩＤ＝”０１”に関するネットワーク情報ＮＩＴｏを取得し、これをメモリに格納する。
【０１１５】
また、ローカルエリアにおいて、第３のネットワークが追加された場合にも同様に動作することができる。
【０１１６】
この場合、図３１に示すように、ネットワークＩＤ＝”０１”を持つ第１のネットワークのＴＳには、自ネットワークの情報ＮＩＴａとネットワークＩＤ＝”０２”に関する他ネットワーク情報ＮＩＴｏ２及びネットワークＩＤ＝”０３”に関する他ネットワーク情報ＮＩＴｏ３が送出されており、ネットワークＩＤ＝”０２”を持つ第２のネットワークのＴＳには自ネットワークの情報ＮＩＴａとネットワークＩＤ＝”０１”に関する他ネットワーク情報ＮＩＴｏ及びネットワークＩＤ＝”０３”に関する他ネットワーク情報ＮＩＴｏが送出されており、さらに、ネットワークＩＤ＝”０３”を持つ第３のネットワークのＴＳには自ネットワークの情報ＮＩＴａとネットワークＩＤ＝”０１”に関する他ネットワーク情報ＮＩＴｏ及びネットワークＩＤ＝”０２”に関する他ネットワーク情報ＮＩＴｏが送出されている。
【０１１７】
そして、例えば、第１のネットワークから第３のネットワークに切り替える場合、当初、受信機６のホストプロセッサ６９は、ＮＩＴａ１（ネットワークＩＤ＝”０１”に関するネットワーク情報）とＮＩＴｏ２（ネットワークＩＤ＝”０２”に関するネットワーク情報）及びＮＩＴｏ３（ネットワークＩＤ＝”０３”に関するネットワーク情報）をメモリに格納しており、ＮＩＴａ内の周波数情報、番組情報に基づいて当該第１のネットワーク内での番組選局を行っている。ここで、各ＮＩＴｏには、ネットワークＩＤ＝”０２”とネットワークＩＤ＝”０３”の各ネットワーク内の周波数情報、番組情報が含まれているが、ネットワークを切り替えるための必要最小限の情報を持てばよい。図３１に示す例では、一方のＮＩＴｏはネットワークＩＤ＝”０２”のネットワーク内の情報の一部として、ＣＨ．３に関する周波数情報と、そのストリーム中に含まれる番組情報（ＳＩＤ＝”０５”）のみを持っており、また、他方のＮＩＴｏはネットワークＩＤ＝”０３”のネットワーク内の情報の一部として、ＣＨ．５に関する周波数情報と、そのストリーム中に含まれる番組情報（ＳＩＤ＝”０９”）のみを持っている。
【０１１８】
そして、第１のネットワークから第３のネットワークに切り替えるときには、ＮＩＴｏ３を利用する。第２のネットワークと第３のネットワークは、他ネットワークを示すテーブルＩＤ”０×４１”と、そのテーブル中のネットワークＩＤにより区別することができる。ＮＩＴｏ３を検出後の動作は、第１のネットワークから第２のネットワークに切り替えるときと同じである。
【０１１９】
すなわち、上記ホストプロセッサ６９は、ネットワーク切替え要求があると、メモリに格納してある２つ他ネットワーク情報から要求されたネットワークの情報（この例ではネットワークＩＤ＝”０３”に関する他ネットワーク情報）を選び出し、このネットワークＩＤ＝”０３”に関する他ネットワーク情報中の情報に基づいて、この例ではＣＨ．５を受信し、ＳＩＤ＝”０９”に関する番組情報を画面に表示する。そして、上記ホストプロセッサ６９は、ＣＨ．５を受信することで、第３のネットワークのストリームよりネットワークＩＤ＝”０３”を持つネットワークに関する自ネットワーク情報ＮＩＴａとネットワークＩＤ＝”０１”に関する他ネットワーク情報ＮＩＴｏとネットワークＩＤ＝”０２”に関する他ネットワーク情報ＮＩＴｏを取得し、これをメモリに格納する。
【０１２０】
次に、受信機５の番組受信処理について、図３２のフローチャートを参照して説明する。
【０１２１】
ステップＳ８１において、ケーブルフロントエンド部６１の受信チューナ５２は、視聴者が選択した番組(ＣＳ波に含まれる番組)を含むＱＡＭ信号を混合波から抽出し、ＱＡＭ復調回路６３に出力する。
【０１２２】
ステップＳ８２において、ＱＡＭ復調回路６３は、入力されＱＡＭ信号をＱＡＭ復調して誤り訂正回路６４に出力する。
【０１２３】
ステップＳ８３において、誤り訂正回路６４は、入力されたＴＳの誤り情報を訂正し、トランスポート部６５に出力する。
【０１２４】
ステップＳ８４において、トランスポート部６５のデスクランブラ６６は、ＴＳに施されているスクランブルを、センター局１が発行したＩＣカード６０に記録されているデスクランブル情報を用いて復号し、デマルチプレクサ６７に出力する。
【０１２５】
ステップＳ８５において、デマルチプレクサ６７は、ＴＳを多重分離し、視聴者が選択した番組の情報を抽出してＭＰＥＧデコード部６８に供給する。
【０１２６】
ステップＳ８６において、ＭＰＥＧデコード部６８は、入力された番組情報をＭＰＥＧ伸張して映像信号と音声信号を生成し、テレビジョン受像機７に出力する。テレビジョン受像機７は、入力された映像信号と音声信号を再生する。
【０１２７】
ステップＳ８７において、ホストプロセッサ６９は、受信した番組が有料（ペイパービュー）番組である場合、その情報（番組視聴情報）をＩＣカード６０に記録する。通信部７０は、定期的にＩＣカード６０に記録されている番組視聴情報を公衆電話回線及び視聴情報処理部１４を介して顧客管理部３５に通知する。
【０１２８】
なお、視聴者が地上波又はＢＳ波で送信された番組を選択した場合、その番組情報は多重化されていないため、デジタルＣＡＴＶ・ＳＴＢでは受信しない。
【０１２９】
【発明の効果】
以上のように、本発明に係るネットワーク情報の送出方法によれば、ローカルエリアにおいて衛星系のデジタルサービス信号を変調変換方式によりケーブル伝送用のデジタルサービス信号に変換してケーブルネットワークに再送出するに当たり、衛星系での番組情報作成時に、ローカルエリアにおいてローカルネットワーク情報を他ネットワーク情報として挿入するための容量を確保したスタッフィングテーブルを送出し、ローカルエリアにおける番組構成によるローカルネットワーク情報を衛星系のトランスポートストリーム中に他ネットワーク情報として挿入してケーブルネットワークに送出するので、ローカルエリアにおいて衛星系のデジタルサービス信号を変調変換方式によりケーブル伝送用のデジタルサービス信号に変換してケーブルネットワークに再送出する際に、ローカルエリアにおける番組構成による新たなネットワークを追加することができる。
【０１３０】
また、本発明に係るネットワーク情報の送出方法によれば、ローカルエリアにおいて衛星系のデジタルサービス信号を変調変換方式によりケーブル伝送用のデジタル多チャンネルサービス信号に変換してケーブルネットワークに再送出するに当たり、衛星系のトランスポートストリーム中の一部の番組を削除し、削除した番組のネットワーク情報に換えて、ローカルエリアにおける番組構成によるローカルネットワーク情報を衛星系のトランスポートストリーム中に他ネットワーク情報として挿入して送出することので、ローカルエリアにおいて衛星系のデジタルサービス信号を変調変換方式によりケーブル伝送用のデジタルサービス信号に変換してケーブルネットワークに再送出する際に、ローカルエリアにおける番組構成による新たなネットワークを追加することができる。
【０１３１】
また、本発明に係るネットワーク情報の送出方法によれば、ローカルエリアにおいて複数の衛星系のデジタルサービス信号を変調変換方式によりケーブル伝送用のデジタル多チャンネルサービス信号に変換してケーブルネットワークに再送出するに当たり、再送出しない一部の衛星系のネットワーク情報に換えて、ローカルエリアにおける番組構成によるローカルネットワーク情報を衛星系のトランスポートストリーム中に他ネットワーク情報として挿入して送出するので、ローカルエリアにおいて衛星系のデジタルサービス信号を変調変換方式によりケーブル伝送用のデジタルサービス信号に変換してケーブルネットワークに再送出する際に、ローカルエリアにおける番組構成による新たなネットワークを追加することができる。
【０１３２】
さらに、本発明に係るネットワーク情報の送出方法によれば、ローカルエリアにおいて複数の衛星系のデジタルサービス信号を変調変換方式によりケーブル伝送用のデジタル多チャンネルサービス信号に変換してケーブルネットワークに再送出するに当たり、ローカルエリアにおける番組構成によるローカルネットワーク情報を衛星系のトランスポートストリームに含まれる他ネットワーク情報と間欠的に置き換えて送出するので、ローカルエリアにおいて衛星系のデジタルサービス信号を変調変換方式によりケーブル伝送用のデジタルサービス信号に変換してケーブルネットワークに再送出する際に、ローカルエリアにおける番組構成による新たなネットワークを追加することができる。
【図面の簡単な説明】
【図１】本発明を適用した情報伝送システムの構成を示す概念図である。
【図２】ＭＰＥＧ２トランスポートパケットとＤＶＢシステムのフレーム構成を示す図である。
【図３】ＭＰＥＧ２トランスポートパケットのパケット構造を示す図である。
【図４】ＰＥＳパケットのパケット構造を示す図である。
【図５】プログラム・アソシエーション・テーブル(ＰＡＴ)のテーブル構造を示す図である。
【図６】プログラム・マップ・テーブル(ＰＭＴ)のテーブル構造を示す図である。
【図７】ネットワーク・インフォメーション・テーブル(ＮＩＴ)のテーブル構造を示す図である。
【図８】ＮＩＴにおけるサテライト・デリバリー・システム・ディスクリプタの構造を示す図である。
【図９】ＮＩＴにおけるＣＡＴＶ・デリバリー・システム・ディスクリプタの構造を示す図である。
【図１０】ＮＩＴにおけるサービス・リスト・ディスクリプタの構造を示す図である。
【図１１】上記情報伝送システムにおけるケーブルテレビ局の配信部の構成例を示すブロック図である。
【図１２】ＣＳ波の直線偏波を説明する図である。
【図１３】上記配信部における変調変換装置の構成例を示すブロック図である。
【図１４】混合波を説明する図である。
【図１５】上記変調変換装置におけるＮＩＴ変換回路の構成例を示すブロック図である。
【図１６】上記ＮＩＴ変換回路におけるＮＩＴ抽出部の構成例を示すブロック図である。
【図１７】上記ＮＩＴ抽出部によるＮＩＴ抽出処理を説明するフローチャートである。
【図１８】上記ＮＩＴ抽出部におけるＦＩＦＯメモリへの書き込み例を示す図である。
【図１９】上記ＮＩＴ変換回路におけるＮＩＴ置換部の構成例を示すブロック図である。
【図２０】上記ＮＩＴ置換部におけるＦＩＦＯメモリへの書き込み例を示す図である。
【図２１】上記ＮＩＴ置換部におけるＳＲＡＭへの書き込み例を示す図である。
【図２２】上記ＮＩＴ置換部におけるＦＩＦＯメモリからＳＲＡＭへのデータ転送処理を説明するフローチャートである。
【図２３】上記ＮＩＴ置換部におけるＮＩＴ置換回路によるＮＩＴ置き換え処理を説明するフローチャートである。
【図２４】上記ＮＩＴ置換部におけるＮＩＴ置き換え処理を説明するフローチャートである。
【図２５】上記配信部による情報配信処理を説明するフローチャートである。
【図２６】ローカルエリアにおいて付加された他ネットワークに関する情報を変調変換方式により再送出されるＴＳ内に挿入できるようにするために採用される第１の方式におけるネットワーク情報を状態を示す図である。
【図２７】ローカルエリアにおいて付加された他ネットワークに関する情報を変調変換方式により再送出されるＴＳ内に挿入できるようにするために採用される第２の方式におけるネットワーク情報を状態を示す図である。
【図２８】ローカルエリアにおいて付加された他ネットワークに関する情報を変調変換方式により再送出されるＴＳ内に挿入できるようにするために採用される第３の方式におけるネットワーク情報を状態を示す図である。
【図２９】上記情報伝送システムにおける受信機の構成例を示すブロック図である。
【図３０】上記受信機による第１のネットワークから第２のネットワークへのネットワーク切替え動作の具体例を示す図である。
【図３１】上記受信機による第１のネットワークから第３のネットワークへのネットワーク切替え動作の具体例を示す図である。
【図３２】上記受信機による番組受信処理を説明するフローチャートである。
【符号の説明】
１  センター局、２  通信衛星、３  ケーブルテレビ局、４  ケーブルテレビ網、６  受信機、７  テレビジョン受像機、１１  送信部、１２  視聴者管理部，  １３  鍵管理部、１４  視聴情報処理部、３５  顧客管理部、４１  信号分配器、４２  変調変換装置、４５  信号混合器、６０  ＩＣカード、６１  ケーブルフロントエンド部、６２  受信チューナ、６３  ＱＡＭ復調回路、６４  誤り訂正回路、６５  トランスポート部、６６  デスクランブラ、６７  デマルチプレクサ、６８  ＭＰＥＧデコード部、６９  ホストプロセッサ、７０  通信部、４２１  ＱＰＳＫ復調回路、４２２  誤り訂正回路、４２３  ＮＩＴ変換回路、４２４  ＱＡＭ変調回路、４２５  周波数変換回路
【図１】
0004325052.tif 000002
【図２】
0004325052.tif 000003
【図３】
0004325052.tif 000004
【図４】
0004325052.tif 000005
【図５】
0004325052.tif 000006
【図６】
0004325052.tif 000007
【図７】
0004325052.tif 000008
【図８】
0004325052.tif 000009
【図９】
0004325052.tif 000010
【図１０】
0004325052.tif 000011
【図１１】
0004325052.tif 000012
【図１２】
0004325052.tif 000013
【図１３】
0004325052.tif 000014
【図１４】
0004325052.tif 000015
【図１５】
0004325052.tif 000016
【図１６】
0004325052.tif 000017
【図１７】
0004325052.tif 000018
【図１８】
0004325052.tif 000019
【図１９】
0004325052.tif 000020
【図２０】
0004325052.tif 000021
【図２１】
0004325052.tif 000022
【図２２】
0004325052.tif 000023
【図２３】
0004325052.tif 000024
【図２４】
0004325052.tif 000025
【図２５】
0004325052.tif 000026
【図２６】
0004325052.tif 000027
【図２７】
0004325052.tif 000028
【図２８】
0004325052.tif 000029
【図２９】
0004325052.tif 000030
【図３０】
0004325052.tif 000031
【図３１】
0004325052.tif 000032
【図３２】
0004325052.tif 000033